(57)【要約】【課題】  簡単な構成により、画像形成後の被記録用紙および差込用紙を後処理装置に搬送する中継用搬送手段内におけるジャム用紙の除去を簡単にできる画像処理システムを提供することを目的とする。【解決手段】  中継用搬送手段は、上下段に設けられ横方向に延びる搬送路５１、５２と、縦の搬送路５３とを有する横Ｕ字型搬送路５０と、横Ｕ字型搬送路５０の内面を形成する横Ｕ字型ガイド部７０と、中継用搬送手段の枠組みである枠体に設けられ、横Ｕ字型ガイド部７０を開放側に回動可能に軸支するガイド支持軸５６と、横Ｕ字型搬送路５０の少なくとも２つ以上の搬送路に設けられた搬送ローラ対６０とを備え、搬送ローラ対６０の従動ローラ６１は、横Ｕ字型ガイド部７０に取付けられ、横Ｕ字型ガイド部７０を、ガイド支持軸５６を支点に横Ｕ字型ガイド部７０の開放側に回動したとき、搬送ローラ対６０の全てのニップが解除されるように構成する。【選択図】  図３
2006111382.tif 000002
【特許請求の範囲】
【請求項１】
被記録用紙に画像を形成する画像形成装置と、差込用紙を供給する用紙差込装置と、前記画像形成装置の下流側に配置され、前記画像形成装置より排紙される画像形成後の前記被記録用紙および／または前記用紙差込装置より供給される差込用紙を後処理する後処理装置と、画像形成後の前記被記録用紙および前記差込用紙を前記後処理装置に搬送する中継用搬送手段とを備えた画像処理システムにおいて、
前記用紙差込装置は、前記中継用搬送手段の上部に開放可能に配置されるとともに、前記中継用搬送手段は、上段および下段に設けられ横方向に延びる搬送路と、前記上段および下段の搬送路を結ぶ搬送路とを有する横Ｕ字型搬送路と、前記横Ｕ字型搬送路の内面を形成する横Ｕ字型ガイド部と、前記中継用搬送手段の枠組みを形成する枠体に設けられ、前記横Ｕ字型ガイド部を開放側に回動可能に軸支するガイド支持軸と、前記横Ｕ字型搬送路の少なくとも２以上の搬送路に設けられた搬送ローラ対とを備え、前記搬送ローラ対の従動ローラは、前記横Ｕ字型ガイド部に取付けられ、前記横Ｕ字型ガイド部を、前記ガイド支持軸を支点に前記横Ｕ字型ガイド部の開放側に回動したとき、前記搬送ローラ対の全てのニップが解除されるように構成したことを特徴とする画像処理システム。
【請求項２】
前記ガイド支持軸は、前記横Ｕ字型ガイド部の内側にあり、かつ、前記横Ｕ字型ガイド部に設けられた全ての前記従動ローラより前記横Ｕ字型ガイド部の開放側に位置するように設けられていることを特徴とする請求項１に記載の画像処理システム。
【請求項３】
前記横Ｕ字型ガイド部は、前記中継用搬送手段の上部に設けられた用紙差込装置によって押圧され、前記押圧により前記従動ローラは、前記従動ローラと対をなす駆動ローラに向かって付勢されていることを特徴とする請求項１または請求項２に記載の画像処理システム。
【請求項４】
前記枠体には、前記横Ｕ字型ガイド部を回動する開放レバーを軸支するとともに、前記横Ｕ字型ガイド部は、前記開放レバーにより前記横Ｕ字型ガイド部の開放側に回動可能に構成したことを特徴とする請求項１乃至請求項３のいずれかに記載の画像処理システム。
【発明の詳細な説明】
【技術分野】
【０００１】
本発明は、プリンタ装置、複写機などの被記録用紙に画像を形成する画像形成装置と、差込用紙を供給する用紙差込装置と、被記録用紙または／および差込用紙にステープル処理、穿孔処理、中折処理などの後処理を施す後処理装置とを備えた画像処理システムに関し、特に簡単な構成により、画像形成後の被記録用紙および差込用紙を後処理装置に搬送する中継用搬送手段内におけるジャム用紙の除去を簡単にできるようにしたものである。
【０００２】
従来、カラーとモノクロが混在した資料を複写する場合、高速のカラー複写機は高価であることから、インクジェットプリンタなどの低速カラープリンタを用いてカラー資料を作成し、別途、高速のモノクロ複写機で作成したモノクロ資料とを手作業で仕分けを行い、その後、ステープル処理、穿孔処理、中折処理などの後処理を行っている。しかし、このような仕分けや後処理作業は、極めて面倒であるとともに、長時間かかるなどという問題があった。
【背景技術】
【０００３】
従来、この対策として、例えば、画像形成装置の下流側に穿孔処理およびＺ折処理を行う後処理装置を設け、この後処理装置の更に下流側に差込用紙を供給する用紙差込装置、ステープル処理および中折処理を行う後処理装置を設けて構成したものがある。
（例えば、特許文献１参照）。
【特許文献１】特開２００４−１６１４６６号公報
【発明の開示】
【発明が解決しようとする課題】
【０００４】
しかし、上述の特許文献１記載の構成では、画像形成後の被記録用紙や差込用紙が、後処理装置内の搬送路内でジャムが発生した場合、何ら考慮されていない。特に、中間に配設された穿孔処理およびＺ折処理を行う後処理装置の搬送路内でジャムが発生した場合には、ユーザではジャム用紙を除去することが極めて困難である。また、サービスマンなどに依頼してジャム処理を行う場合には、即応性がなく、貴重な時間を浪費するなどといった問題がある。
【０００５】
本発明は、上述した課題を解決するためになされたものであり、簡単な構成により、画像形成後の被記録用紙および差込用紙を後処理装置に搬送する中継用搬送手段内におけるジャム用紙の除去を簡単にできる画像処理システムを提供することを目的とする。
【課題を解決するための手段】
【０００６】
上記目的を達成するために、請求項１記載の発明では、被記録用紙に画像を形成する画像形成装置と、差込用紙を供給する用紙差込装置と、画像形成装置の下流側に配置され、画像形成装置より排紙される画像形成後の被記録用紙および／または用紙差込装置より供給される差込用紙を後処理する後処理装置と、画像形成後の被記録用紙および差込用紙を後処理装置に搬送する中継用搬送手段とを備えた画像処理システムにおいて、用紙差込装置は、中継用搬送手段の上部に開放可能に配置されるとともに、中継用搬送手段は、上段および下段に設けられ横方向に延びる搬送路と、上段および下段の搬送路を結ぶ搬送路とを有する横Ｕ字型搬送路と、横Ｕ字型搬送路の内面を形成する横Ｕ字型ガイド部と、中継用搬送手段の枠組みを形成する枠体に設けられ、横Ｕ字型ガイド部を開放側に回動可能に軸支するガイド支持軸と、横Ｕ字型搬送路の少なくとも２つ以上の搬送路に設けられた搬送ローラ対とを備え、搬送ローラ対の従動ローラは、横Ｕ字型ガイド部に取付けられ、横Ｕ字型ガイド部を、ガイド支持軸を支点に横Ｕ字型ガイド部の開放側に回動したとき、搬送ローラ対の全てのニップが解除されるように構成する。
【０００７】
請求項２記載の発明では、ガイド支持軸は、横Ｕ字型ガイド部の内側にあり、かつ、横Ｕ字型ガイド部に設けられた全ての従動ローラより横Ｕ字型ガイド部の開放側に位置するように設けられている。
【０００８】
請求項３記載の発明では、横Ｕ字型ガイド部は、中継用搬送手段の上部に設けられた用紙差込装置によって押圧され、押圧により従動ローラは、従動ローラと対をなす駆動ローラに向かって付勢される。
【０００９】
請求項４記載の発明では、枠体には、横Ｕ字型ガイド部を回動する開放レバーを軸支するとともに、横Ｕ字型ガイド部は、開放レバーにより横Ｕ字型ガイド部の開放側に回動可能に構成する。
【発明の効果】
【００１０】
請求項１記載の発明の構成によれば、中継用搬送手段の横Ｕ字型搬送路内でジャムが発生した場合、中継用搬送手段内の上部に開放可能に配置された用紙差込装置を開放するとともに、横Ｕ字型搬送路の内面を形成する横Ｕ字型ガイド部を、ガイド支持軸を支点に横Ｕ字型ガイド部の開放側に回動すれば、搬送ローラ対の全てのニップが解除される。従って、横Ｕ字型搬送路内にあるジャム用紙は、極めて簡単に除去することができるので、このようなジャム処理は、ユーザにより簡単に行うことができ、殊更、サービスマンなどに依頼する必要がなくなり、即対応が可能となる他、貴重な時間を浪費することがなくなる。
【００１１】
請求項２記載の発明の構成によれば、横Ｕ字型ガイド部を回動可能に軸支するガイド支持軸を、横Ｕ字型ガイド部の内側にあり、かつ、横Ｕ字型ガイド部に設けられた全ての従動ローラより横Ｕ字型ガイド部の開放側に位置するように設けられている。従って、横Ｕ字型ガイド部は、画像形成装置と後処理装置との間の極めて限られた領域内で、回動して搬送ローラ対の全てのニップを解除することができる。
【００１２】
請求項３記載の発明の構成によれば、中継用搬送手段の上部に設けられた用紙差込装置によって横Ｕ字型ガイド部を押圧し、この押圧により従動ローラを、従動ローラと対をなす駆動ローラに向かって付勢しているので、特別な付勢手段を設ける必要がなく、構成を簡略化することができる。
【００１３】
請求項４記載の発明の構成によれば、枠体に軸支された開放レバーを、横Ｕ字型ガイド部の開放側に回動することにより、横Ｕ字型ガイド部は、簡単に回動できるので、回動操作をきわめて簡単にすることができる。
【発明を実施するための最良の形態】
【００１４】
（実施形態）
以下に、本発明の具体的な一実施形態について図１を参照しながら説明する。図１は、本発明の一実施形態に係る画像処理システムの全体構成を示す概略図である。
【００１５】
図１において、画像処理システム１は、被記録用紙Ｐに画像を形成する画像形成装置である、例えば、複写機２と、差込用紙Ｉを供給する用紙差込装置３と、複写機２の下流側に配置され、複写機２より排紙される画像形成後の被記録用紙Ｐおよび／または用紙差込装置３より供給される差込用紙Ｉを後処理する後処理装置４と、この発明に従い、画像形成後の被記録用紙Ｐおよび差込用紙Ｉを後処理装置４に搬送する中継用搬送手段５とを備えている。
【００１６】
複写機２は、原稿を自動的に画像読取手段２１に搬送する原稿搬送手段２２と、画像読取手段２１により読取った画像を被記録用紙Ｐに形成する画像形成手段２３と、定着手段２４と、被記録用紙Ｐが収納された給紙部２５と、被記録用紙Ｐを画像形成手段２３、定着手段２４を介して排出部２６に搬送する用紙搬送手段２７、両面に画像を形成するための反転搬送手段２８、各種入力キースイッチなどとして機能する操作表示部（不図示）および複写機２全体の制御を司る制御手段（不図示）が備えられている。
【００１７】
画像読取手段２１は、周知の通り、コンタクトガラス上に載置された原稿に、露光ランプから光を照射し、反射鏡を介してその反射光をＣＣＤセンサなどからなる光電変換部に導くことにより、原稿の画像情報を読み取る。
【００１８】
原稿搬送手段２２は、原稿を載置するための原稿給紙用トレイ２２１と、原稿給紙用トレイ２２１に積載された原稿を給紙する原稿給紙ローラと、給紙された原稿を搬送するための原稿給紙用搬送路と、必要に応じて原稿の裏面の画像情報を読込むために原稿を反転するためのスイッチバック搬送路と、読み終えた原稿を、排出する原稿排出部２２２などを備えている。
【００１９】
画像形成手段２３は、画像読取手段２１の下方に配設され、電子写真プロセスによって、被記録用紙Ｐ上に所定のトナー像を形成するもので、回転可能に軸支された光導電性を有する、例えば、ドラム状の感光体２３１と、この感光体２３１の周囲に、その回転方向に沿って作像プロセス順に、帯電装置、光走査装置、現像装置、転写部、クリーニング装置と除電ユニットとから構成されている。
【００２０】
定着手段２４は、画像形成手段２３の被記録用紙Ｐの搬送方向の下流側に配置され、画像形成手段２３においてトナー像が転写された被記録用紙Ｐを、回転する加熱ローラ２４１と、この加熱ローラ２４１と共同して押圧回転する加圧ローラ２４２とを備えている。これら一対の加熱ローラ２４１と、加圧ローラ２４２との間に、未定着トナー像を担持した被記録用紙Ｐを挟持搬送し、加熱、加圧し、未定着トナー像を被記録用紙Ｐ上に定着させる。
【００２１】
給紙部２５は、複数の給紙カセット２５１と、手差し用トレイ２５２とを有し、給紙カセット２５１あるいは手差し用トレイ２５２に積層された被記録用紙Ｐの束を、給紙ローラ２５３の回転動作によって最上位の被記録用紙Ｐから１枚ずつ用紙搬送手段２７に給紙する。
【００２２】
用紙搬送手段２７は、給紙部２５から給紙された被記録用紙Ｐを、上下一対のレジストローラ２７１および各種ローラ対やガイド板によって画像形成手段２３に搬送する。上下一対のレジストローラ２７１は、画像形成手段２３の感光体２３１に形成されたトナー像と同期を取りながら搬送するように制御手段により制御されている。更に、画像形成手段２３において画像形成がなされ、未定着トナー像を担持した被記録用紙Ｐは、用紙搬送手段２７により定着手段２４に搬送され、定着後、排紙ローラなどによって排出部２６に排出され、中継用搬送手段５に搬送される。
【００２３】
反転搬送手段２８は、被記録用紙Ｐの両面に画像を形成するために、一方の面に画像形成手段２３により画像が形成され、定着手段２４により定着された被記録用紙Ｐを導入し、スイッチバック搬送路を経由して被記録用紙Ｐを反転し、再度、用紙搬送手段２７を介して画像形成手段２３に搬入する。
【００２４】
図示しない操作表示部は、印刷指示入力用のプリントキー、印刷枚数などの入力用のテンキーなどからなる操作部と、複写機２で操作可能な各機能、用紙詰まりなどのトラブル状況などを表示する液晶パネルなどの表示装置とを備えている。
【００２５】
また、図示しない制御手段には、主演算機能を行う演算部および複写機２の動作制御用のプログラムなどが記憶されたＲＯＭや、各プログラムの作業領域などとして一時的にデータを保管および画像読取手段２１で得られた原稿の画像データを一時的に記憶するＲＡＭなどからなる記憶部が内蔵されたマイクロコンピュータなどにより構成されている。そして、操作表示部のスタートキーが押圧されると、複写動作を行わせる制御信号を画像読取手段２１、原稿搬送手段２２、画像形成手段２３、定着手段２４、給紙部２５、排出部２６、用紙搬送手段２７、反転搬送手段２８などの各ブロックに出力してその動作を制御する。
【００２６】
この複写機２の基本的な作動状態を簡単に説明すると、帯電装置により図１で時計方向に回転する感光体２３１が一様に帯電され、画像読取手段２１で読み取られた画像情報に基づいて、例えば、レーザー走査装置などからなる光走査装置からのレーザービームなどの光ビームＬＢにより感光体２３１上に静電潜像が形成され、現像装置により静電潜像に現像剤が付着されてトナー像が形成される。
【００２７】
上記のようにしてトナー像が形成された感光体２３１に向けて、給紙部２５から被記録用紙Ｐが画像形成手段２３に搬送される。このとき、被記録用紙Ｐは、レジストローラ２７１により、感光体２３１に形成されたトナー像と同期を取りながら用紙搬送手段２７により搬送される。その後、画像形成手段２３において感光体２３１の表面におけるトナー像が被記録用紙Ｐに転写される。そして、未定着トナー像を担持した被記録用紙Ｐは、定着手段２４に搬送されてトナー像が定着される。定着手段２４を通過した被記録用紙Ｐは、排紙ローラを経て排出部２６に排出される。そして、転写部による転写後に感光体２３１は、クリーニング装置および除電装置で残留トナー、残留電荷を除去して、必要に応じて再び帯電装置で帯電される。
【００２８】
用紙差込装置３は、後述する中継用搬送手段５の上部に開放可能に配置されている。そして、例えば、予めカラー印刷された差込用紙Ｉを載置する差込用紙用トレイ３１と、差込用紙Ｉを中継用搬送手段５に搬送する給紙用搬送路３２と、差込用紙Ｉを差込用紙用トレイ３１に表面を上向きに載置したときに反転するために、中継用搬送手段５に形成されるスイッチバック搬送路として機能する上段の搬送路５１の一部を形成する中間搬送路３３などから構成されている。
【００２９】
後処理装置４は、複写機２の下流側に配置され、複写機２より排紙される画像形成後の被記録用紙Ｐおよび／または用紙差込装置３より所定のタイミングで供給される差込用紙Ｉを後処理する各種の処理機能および各種処理を終えた被記録用紙Ｐおよび／または差込用紙Ｉを排出するメイントレイ４４、サブトレイ４５、中折用トレイ４６などを備えている。図示する本実施形態では、処理機能として、例えば、被記録用紙Ｐおよび／または差込用紙Ｉに穿孔処理を行う穿孔処理手段４１と、ステープル処理を行うステープル処理手段４２と、中折処理を行う中折処理手段４３などを備えている。
【００３０】
中継用搬送手段５は、上段および下段に設けられ横方向に延びる搬送路５１、５２と、上段および下段の搬送路５１、５２を結ぶ縦方向に延びる搬送路５３とを有する横Ｕ字型搬送路と、それぞれの搬送路５１、５２、５３に設けられ、被記録用紙Ｐおよび／または差込用紙Ｉを搬送するための搬送ローラ対６０および横Ｕ字型搬送路５０の内面を形成する横Ｕ字型ガイド部７０などを備えている。
【００３１】
この中継用搬送手段５の基本的な作動状態を簡単に説明すると、複写機２の排出部２６から排紙される画像形成後の被記録用紙Ｐは、下段の搬送路５２の端部に設けられた被記録用紙Ｐの導入口５Ｐから導入され、下段の搬送路５２を経由して後処理装置４に搬送される。また、用紙差込装置３から、例えば、表面を上にして差し込まれた差込用紙Ｉは、上段の搬送路５１に連接された差込用紙Ｉの導入口５Ｉからスイッチバック搬送路として機能する上段の搬送路５１にフラップ５４により案内され、一旦、用紙差込装置３の下部に形成された中間搬送路３３に搬送される。その後、反転して上段の搬送路５１からフラップ５４により縦の搬送路５３案内され、下段の搬送路５２を経由し、表面を上にした状態、即ち、被記録用紙Ｐの画像が形成された面と同じ状態で後処理装置４に搬送される。
【００３２】
その後、後処理装置４に搬送された被記録用紙Ｐおよび／または差込用紙Ｉは、初期設定に基づいて、図示しない制御手段により制御され、後処理装置４内のそれぞれの搬送路４７を経由して、穿孔処理、ステープル処理、中折処理などの後処理が行われ、メイントレイ４４、サブトレイ４５または中折用トレイ４６に排紙される。
【００３３】
而して、中継用搬送手段５は、本発明に従い図２乃至図９に示すように構成されている。図２は、図１に示す中継用搬送手段５の概略構成を示す斜視図、図３は、図２に示す中継用搬送手段５の要部を拡大して示す拡大図で、図４は、同じく図２に示す中継用搬送手段５の要部を拡大して示す拡大図で、横Ｕ字型ガイド部７０を横Ｕ字型ガイド部７０の開放側に回動した状態を示す。図５は、図１に示す中継用搬送手段５と用紙差込装置３との関係を示す概略側断面図、図６は、同じく図１に示す中継用搬送手段５と用紙差込装置３との関係を示概略側断面図で、横Ｕ字型ガイド部７０を横Ｕ字型ガイド部７０の開放側に回動した状態を示す。図７は、横Ｕ字型ガイド部７０を横Ｕ字型ガイド部７０の開放側に回動する開放レバーの概略構成を示す斜視図、図８は、図７に示す開放レバーの概略側面図、図９は、同じく図７に示す開放レバーの概略側面図で、横Ｕ字型ガイド部７０を横Ｕ字型ガイド部７０の開放側に回動した状態を示す。
【００３４】
即ち、横Ｕ字型ガイド部７０は、図３および図４に示すようにステンレス板などによりＵ字型に形成されたＵ字型ガイド板７１を備えている。また、Ｕ字型ガイド板７１には、Ｕ字型ガイド板７１の下側の解放側近傍に支持台７２と、横Ｕ字型搬送路５０のそれぞれの搬送路５１、５２、５３に被記録用紙Ｐおよび／または差込用紙Ｉを搬送するための搬送ローラ対６０の従動ローラ６１を支持するローラ支持台７３とが設けられている。そして、横Ｕ字型ガイド部７０は、支持台７２を貫通する中継用搬送手段５の枠組みを形成する枠体５５に設けられたガイド支持軸５６により軸支され、横Ｕ字型ガイド部７０の開放側（図５において矢印Ａ方向）に回動可能に形成されている。また、ガイド支持軸５６は、横Ｕ字型ガイド部７０の内側にあり、かつ、横Ｕ字型ガイド部７０に設けられた全ての従動ローラ６１より横Ｕ字型ガイド部７０の開放側に位置するように配設されている。また、従動ローラ６１と対をなす搬送ローラ対６０の駆動ローラ６２は、図示しないローラ支持台により枠体５５などに取付けられている。この構成により、ガイド支持軸５６を支点に横Ｕ字型ガイド部７０を、その開放側（図３において矢印Ａ方向）に回動したとき、搬送ローラ対６０の従動ローラ６１と駆動ローラ６２とにより形成される全てのニップが図４に示すように解除（フリーの状態）される。
【００３５】
この横Ｕ字型ガイド部７０の回動操作は、例えば、図７乃至図９に示すように、開放レバー８０を操作することにより行うことができる。即ち、枠体５５にレバー支持軸５７を設け、このレバー支持軸５７に開放レバー８０を軸支するとともに、その作用点側である押圧片８２が、例えば、横Ｕ字型ガイド部７０上段の搬送路５１に設けられる従動ローラ６１のローラ軸６３に当接するように配置する。
【００３６】
この構成により、図７および図８において、矢印Ｂ方向にレバー８１を押すように操作すると、レバー支持軸５７を支点に開放レバー８０が回転し、その作用点側である押圧片８２より、横Ｕ字型ガイド部７０上段の搬送路５１に設けられる従動ローラ６１のローラ軸６３を押圧（図９）し、図４に示すように、横Ｕ字型ガイド部７０が解放側に移動する。従って、上述の通り、搬送ローラ対６０の従動ローラ６１と駆動ローラ６２とにより形成される全てのニップが解除される。
【００３７】
また、横Ｕ字型ガイド部７０の上端部７４は、図８に示すように中継用搬送手段５の上部に設けられた用紙差込装置３の圧接片３４によって押圧され、この押圧により従動ローラ６１は、従動ローラ６１と対をなす駆動ローラ６２に向かって付勢されている。従って、用紙差込装置３が図５に示す状態にあるときには、それぞれの搬送ローラ対６０は、当該ニップに搬送されてくる被記録用紙Ｐおよび／または差込用紙Ｉを搬送することができる。
【００３８】
また、用紙差込装置３は、図９に示すように、枠体５５の複写機２側に設けられた用紙差込装置支持軸５８により軸支されている。従って、この構成によれば、上述の搬送ローラ対６０のニップの解除操作の際に、図６に示すように、差込用紙用トレイ３１側を上方に押し上げて開放でき、用紙差込装置３が、解除操作の障害となら。
【００３９】
以上の構成による本実施形態によれば、中継用搬送手段５の横Ｕ字型搬送路５０内でジャムが発生した場合、中継用搬送手段５の上部に開放可能に配置された用紙差込装置３を開放するとともに、横Ｕ字型搬送路５０の内面を形成する横Ｕ字型ガイド部７０を、ガイド支持軸５６を支点に横Ｕ字型ガイド部７０の開放側に回動すれば、搬送ローラ対６０の全てのニップが解除される。従って、横Ｕ字型搬送路５０内にあるジャム用紙は、極めて簡単に除去することができるので、このようなジャム処理は、ユーザにより簡単に行うことができ、殊更、サービスマンなどに依頼する必要がなくなり、即対応が可能となる他、貴重な時間を浪費することがなくなる。
【００４０】
また、横Ｕ字型ガイド部７０を回動可能に軸支するガイド支持軸５６を、横Ｕ字型ガイド部７０の内側にあり、かつ、横Ｕ字型ガイド部７０に設けられた全ての従動ローラ６１より横Ｕ字型ガイド部７０の開放側に位置するように設けられている。従って、横Ｕ字型ガイド部７０は、複写機２と後処理装置４との間の極めて限られた領域内で、回動して搬送ローラ対６０の全てのニップが解除することができる。
【００４１】
また、中継用搬送手段５の上部に設けられた用紙差込装置３によって横Ｕ字型ガイド部７０を押圧し、この押圧により従動ローラ６１を、従動ローラ６１と対をなす駆動ローラ６２に向かって付勢しているので、特別な付勢手段を設ける必要がなく、構成を簡略化することができる。
【００４２】
更に、枠体５５に軸支された開放レバー８０を、横Ｕ字型ガイド部７０の開放側に回動することにより、横Ｕ字型ガイド部７０は、簡単に回動できるので、回動操作をきわめて簡単にすることができる。
【００４３】
なお、上述した各実施形態は、本発明の好適な実施形態であるが、本発明はこれに限定されるものではなく、本発明の要旨を逸脱しない範囲において、種々変形実施可能である。
【００４４】
例えば、上述した実施形態では、複写機を例に挙げて説明したが、本発明は、例えば、プリンタ装置や、コピー機能、プリンタ機能、スキャナ機能およびファクシミリ機能などの各種機能を兼ね備えた複合機などに対しても適用可能である。
【００４５】
また、上述した実施形態においては、差込用紙Ｉとして予めカラー印刷されたものを用いたが、差込用紙Ｉとしては、カラー印刷されたものに限らず、画像形成装置では、画像形成することが適さない、例えば、厚紙を表紙として差し込むようにしてもよいのは勿論である。
【００４６】
また、上述した実施形態においては、ドラム状の感光体２３１を使用しているが、感光体２３１の形状には限定はなく、上述したドラム状以外の公知の形状を用いることができる。例えば、シート状、ベルト状、ウェブ状などの形状が挙げられる。
【産業上の利用可能性】
【００４７】
本発明の活用例としては、画像形成装置と用紙差込装置と後処理装置とを備えた画像処理システムが挙げられる。
【図面の簡単な説明】
【００４８】
【図１】図１は、本発明の一実施形態に係る画像処理システムの全体構成を示す概略図である。
【図２】図１に示す中継用搬送手段５の概略構成を示す斜視図である。
【図３】図２に示す中継用搬送手段５の要部を拡大して示す拡大図である。
【図４】同じく図２に示す中継用搬送手段５の要部を拡大して示す拡大図で、横Ｕ字型ガイド部７０を横Ｕ字型ガイド部７０の開放側に回動した状態を示す。
【図５】図１に示す中継用搬送手段５と用紙差込装置３との関係を示す概略側断面図である。
【図６】同じく図１に示す中継用搬送手段５と用紙差込装置３との関係を示概略側断面図で、横Ｕ字型ガイド部７０を横Ｕ字型ガイド部７０の開放側に回動した状態を示す。
【図７】横Ｕ字型ガイド部７０を横Ｕ字型ガイド部７０の開放側に回動する開放レバーの概略構成を示す斜視図である。
【図８】図７に示す開放レバーの概略側面図である。
【図９】同じく図７に示す開放レバーの概略側面図で、横Ｕ字型ガイド部７０を横Ｕ字型ガイド部７０の開放側に回動した状態を示す。
【符号の説明】
【００４９】
１…画像処理システム、２…複写機（画像形成装置）、３…用紙差込装置、４…後処理装置、５…中継用搬送手段、５０…横Ｕ字型搬送路、４７…搬送路、５１…搬送路、５２…搬送路、５３…搬送路、５５…枠体、５６…ガイド支持軸、６０…搬送ローラ対、６１…従動ローラ、６２…駆動ローラ、７０…横Ｕ字型ガイド部、８０…開放レバー、Ｐ…被記録用紙、Ｉ…差込用紙
【図１】
2006111382.tif 000003
【図２】
2006111382.tif 000004
【図３】
2006111382.tif 000005
【図４】
2006111382.tif 000006
【図５】
2006111382.tif 000007
【図６】
2006111382.tif 000008
【図７】
2006111382.tif 000009
【図８】
2006111382.tif 000010
【図９】
2006111382.tif 000011